(57)【要約】【課題】  携帯端末でのデータと、他のデータを組み合わせ、ある範囲の中に文字をレイアウトしたり、画像データを貼り付けたりできるようにして、携帯端末での作業を減らし、かつ所望のデータを作成できるようなデータ合成システムを提供する。【解決手段】  データベースの作成された文書フォーマットと、携帯端末の印刷情報をあわせ、一つのデータとし、データを印刷装置へ出力することを特徴とするデータ合成システム。【選択図】        図１
2005196547.tif 000002
【特許請求の範囲】
【請求項１】
文章作成機能、通信機能を有する携帯端末と、
文章フォーマットを持つ、データベースと、
文章フォーマットを作成する手段と、
文書フォーマットと、携帯端末の印刷情報をあわせ、同一の印刷データとする手段と、
印刷データを、印刷装置へ出力できる手段と、
を備えたことを特徴とするデータ合成システム。
【請求項２】
前記のデータ合成システムにさらに、
文書フォーマットと、携帯端末の印刷情報をあわせ同一のデータとしたものを、電子メールに添付し送信できる手段と、
を備えたことを特徴とする請求項１記載のデータ合成システム。
【発明の詳細な説明】
【技術分野】
【０００１】
本発明は、携帯端末からデータを送信する際に、そのデータとその他のデータを併せ、印刷装置で印刷を行ったり、電子メールに添付し送信したりできるようにするデータ合成システムに関するものである。
【背景技術】
【０００２】
最近では、計時機能、スケジューラ機能、文章作成機能、及び通信機能等の機能を備えた携帯端末（携帯電話、ＰＤＡ、他モバイル端末）が普及している。その為、ユーザは、ＰＣほどではないが、携帯端末にて様々な作業を行える様になっている。
【０００３】
また特に最近は、通信機能の充実により、外部装置とのデータのやり取りや、各種の情報を提供するネットワークからの情報の提供等を受ける事も可能になっている。
【０００４】
その為、携帯端末にて文章を作成して、印刷装置にて印刷を行ったり、作成したデータを電子メールに添付し送信したりする事が行われている（例えば、特許文献１参照）。
【特許文献１】特開２０００−１０７４５号公報
【発明の開示】
【発明が解決しようとする課題】
【０００５】
しかしながら、携帯端末上で文章を作成したり、ある範囲（例、用紙サイズ）の中に、文字をレイアウトしたり、画像データを貼り付けたりするような事を行おうとした場合、携帯端末のディスプレイというのは、携帯端末の性質上、持ち運びしやすくする為に小型であり、そのような作業は行ない辛かった。
【０００６】
また、携帯端末の操作も、入力ボタンが小型であるために作業が行ない辛く、また複雑な操作を行おうとすると、少数のボタンの組み合わせで操作を行う為に、効率が良いとは言えない。その為、携帯端末での操作はなるべく少なくした方が、作業効率が良い。
【０００７】
本発明は、このような問題点に鑑みて為されたものであり、その目的とする処は、携帯端末でのデータと、他のデータを組み合わせ、ある範囲の中に文字をレイアウトしたり、画像データを貼り付けたりできるようにして、携帯端末での作業を減らし、かつ所望のデータを作成できるようなデータ合成システムを提供することにある。
【課題を解決するための手段】
【０００８】
本発明は、下記の技術的構成により前記目的を達成できたものである。
【０００９】
（１）文章作成機能、通信機能を有する携帯端末と、文章フォーマットを持つデータベースと、文章フォーマットを作成する手段と、文書フォーマットと携帯端末の印刷情報をあわせ、同一の印刷データとする手段と、印刷データを印刷装置へ出力できる手段とを備えたことを特徴とするデータ合成システム。
【００１０】
（２）前記のデータ合成システムにさらに、文書フォーマットと、携帯端末の印刷情報をあわせ同一のデータとしたものを電子メールに添付し送信できる手段とを備えたことを特徴とする（１）記載のデータ合成システム。
【００１１】
上記構成により、携帯端末のユーザは、携帯端末上でのデータ作成や、文章、画像データをある範囲でレイアウトを行わなくても、所望のレイアウトでデータが作成でき、印刷を行う事が出来る。
【００１２】
また、携帯端末のユーザは、携帯端末上でデータ作成や、文章、画像データをある範囲でレイアウトを行わなくても、所望のレイアウトでデータ作成ができ、メールに添付し印刷を行う事が出来る。
【発明の効果】
【００１３】
本発明によれば、携帯端末１のユーザが、携帯端末１上にて最小の作業で、所望の書類データの印刷を行う事ができるデータ合成システムを提供することができる。
【００１４】
また、携帯端末１のユーザが、携帯端末１上にて最小の作業で、所望の書類データを電子メールに添付し、送信を行う事ができるデータ合成システムを提供することができる。
【００１５】
これにより、携帯端末１のユーザが、サービスマンや、営業マンであった場合、レポート等を安易に作成する事が出来るため、仕事の効率に多いに上昇する事が出来る。
【発明を実施するための最良の形態】
【００１６】
以下本発明の実施例について、図面を参照しながら説明する。
【実施例１】
【００１７】
以下に本発明の第１の実施例を説明する。
【００１８】
図１は、本実施例に係わるデータ合成システム全体の概略構成を記載したブロック図である。
【００１９】
本実施の形態に係わるデータ出力システムは、１．携帯端末、２．携帯基地局、３．携帯端末センタ、４．サービスセンタ、５．ネットワーク、６．印刷装置、７．ＰＣなどからなる。
【００２０】
携帯端末１は、キー入力やペン入力により、データの入力および、作成が可能な文章作成機能、時計機能、スケジューラ等の個人データの管理や、通信機能（ＰＨＳ等）、位置情報等を備えた、ユーザが携帯する小型の携帯端末である。また、外部より携帯端末１にプログラムをダウンロードし、それを実行させる事もできる。また、文書フォーマットの作成を行いサービスセンタ４に登録を行う事も出来る。
【００２１】
携帯基地局２は、携帯端末１からの電波を受信するために多数設置されたものである。
【００２２】
携帯端末センタ３は携帯基地局２の親局となる、携帯端末サービス制御局で、携帯端末１のデータをネットワークに送ったり、またネットワーク上のデータを携帯端末１へ送信したりする。
【００２３】
サービスセンタ４は、データの文書フォーマットを持つ、データベース１６を備え、携帯端末１から送られてくるデータと、データベース１６上のデータを合わせ、一つのファイルに合成する事が出来る。
【００２４】
印刷装置６は、ネットワークに接続されている印刷装置である。ネットワーク経由で印刷データが送られて来た際に、印刷出力を行う物である。
【００２５】
ＰＣ７は、ネットワークに接続されている、ＰＣ（パーソナルコンピュータ）であり、文章フォーマットを作成しサービスセンタに登録を行う等する。
【００２６】
次に図３にサービスセンタ４の構成を述べる。
【００２７】
サービスセンタ４は、通信ユニット１１、ＣＰＵ１２、ＲＡＭ１３、ＲＯＭ１４、記憶媒体１５、データベース１６等から構成されている。
【００２８】
通信ユニット１１は、携帯端末１から携帯端末センタ３を経て、または、携帯端末センタ３から送信されるデータ、及び携帯端末１の位置情報のデータを受信し、受信したデータを情報処理装置１７に入力する。
【００２９】
情報処理装置１７は、内部にＣＰＵ１２、ＲＡＭ１３、ＲＯＭ１４、記憶媒体１５等から構成されており、これらの装置はバス１８を介し相互に接続されている。
【００３０】
ＣＰＵ１２は、記憶装置ＲＯＭ１４や、記憶媒体１５に記憶されているプログラム及び、当該システムプログラムに対応する各種アプリケーションプログラムの中から指定されたアプリケーションプログラムを実行し、通信ユニット１１からのデータの処理を行う。
【００３１】
ＲＡＭ１３は、ＣＰＵ１２により演算処理されるプログラムや通信ユニット１１からの出力データなどを一時的に記憶する記憶領域からなり、記憶された各種プログラムやデータなどの読み出しも行われる。また、記憶された各種プログラムコードに従い、データベース１６から検索抽出したデータ等が一時的に記憶される。
【００３２】
ＲＯＭ１４、記憶媒体１５には、プログラムやデータ等が記憶される。この記憶媒体１５には、システムプログラム及び当該システムプログラムに対する各種アプリケーションプログラム、通信処理、入力処理、データ処理等のプログラムを有する。
【００３３】
また、記憶媒体１５は、処理されたデータ等を記憶する。
【００３４】
なお、この記憶媒体１５に記録するプログラム、データ等は、通信回線を介して接続された他の機器から受信して記憶する構成にしても良い。
【００３５】
また、通信回線等を介して接続されたほかの機器に上記記憶媒体を備えた記憶装置を設け、この記憶媒体に記憶されているプログラム、データ通信回線を使用する構成にしてもよい。
【００３６】
データベース１６は、サービスセンタ４が通信ユニット１１を通じ設定される、書類フォーマットを保存しておく場所である。
【００３７】
次に、図２により本データ合成システムの概略を説明する。
【００３８】
携帯端末１はネットワークを経由し、サービスセンタ４にデータを送信する。また、データを送信する際には、ネットワーク経由でなく直接サービスセンタに送信を行っても良い（無線、赤外線、ｅｔｃ）。また、送信する際には、サービスセンタ４のデータベースに登録されている、文書フォーマットに対して、それに合う付加情報を付けて送信する（ステップＡ１）。
【００３９】
また、携帯端末１上で書類フォーマットを作成し、サービスセンタ４に登録、書類フォーマットの変更を行う事も出来る（ステップＡ９）。
【００４０】
サービスセンタ４は、携帯端末１からのデータを受信（ステップＡ２）し、受信したデータと、サービスセンタ内のデータベースにある書類フォーマットとを合成し、一つのデータとする（ステップＡ３）。そして、合成したデータを、印刷装置に送ったり、メールに添付し送信したり出来るようにする（ステップＡ４）。
【００４１】
印刷装置６は、サービスセンタ４からのデータを受信し（ステップＡ５）、受信したデータの印刷を行う（ステップＡ６）。
【００４２】
ＰＣ７は、メールに添付されてくる合成されたデータを受信したり（ステップＡ７）、書類フォーマットを作成し、サービスセンタへ設定を行ったりする（ステップＡ８）。
【００４３】
次に図５にて、ＰＣ７、携帯端末１上での詳しい書類フォーマットの作成方法を述べる。
【００４４】
図５（ａ）のように、ＰＣ７上や、携帯端末１上にて、全体の枠２１を設定する（Ａ４、Ａ３サイズ等）。そしてその中に、文章を入れる為の文章枠２２や、画像を入れる為の画像枠２３をレイアウトしていく。
【００４５】
文書枠２２の情報は、ＦＯＮＴ、文字サイズ、文字数、中揃え、前揃え等の情報を持ち、文字データが入力された際に、その情報に基づきレイアウトを行える情報を持つ。
【００４６】
画像枠２３の情報は、画像サイズを決定する為の情報、例えば画像枠に画像をあわせる等の情報が入っている。
【００４７】
そして、作成したフォーマットをサービスセンタ４に登録をしておく。
【００４８】
また、図５（ｂ）の設定枠２４は、携帯端末１の日付、時間、ＩＤ（端末端末番号）の情報により、データが送られてきた時間、日付をレイアウトするようにしたり、ＩＤにより携帯端末１のユーザを判別し、そのユーザ名をその場所にレイアウトしたりする。
【００４９】
次に図４にて、携帯端末１上でのデータ作成例、サービスセンタ４での合成方法を述べる。
【００５０】
図４（ａ）に書類作成の概要を述べる。携帯端末１上の画面により、書類作成モードを選択する（ステップＢ１、図４（ｂ））。次に、携帯端末１に登録してある書類フォーマットより、作成したい書類のフォーマットを選択する（ステップＢ２、図４（ｃ））。書類フォーマットが見たい場合には、書類フォーマットを表示できるようにする（ステップＢ３、図４（ｅ））。もし、作成したい書類フォーマットが無い場合には、サービスセンタにアクセスし、サービスセンタ上の書類フォーマットを選択できる（ステップＢ４、図４（ｄ））。
【００５１】
また、携帯端末１上に保存してあるフォーマットは、サービスセンタ４に登録してあるものとする。携帯端末１からサービスセンタ４にデータを送信する際には、このフォーマットを識別する為の情報も送信する。
【００５２】
書類フォーマットが見たい場合には、書類フォーマットを表示できるようにする（ステップＢ５、図４（ｅ））。書類フォーマットを選択した次は、書類作成モードに移る（ステップＢ６）。
【００５３】
書類作成は、先ほど選択した書類フォーマットにリンクし、文章入力する箇所や、画像を選択する場所等を表示させる。画像に関しては、画像ファイルを参照したり、作画窓２６にて、自分で作成した図を送ったりできる（図４（ｆ））。
【００５４】
書類を作成し終わったら、送信ボタン２５を押し、サービスセンタ４に送信を行う（ステップＢ７）。その際には、携帯端末１から送られてきたデータと、サービスセンタ４にある書類フォーマット情報をあわせ、図４（ｇ）のような、所望の書類データの作成を行う事が出来、サービスセンタ４から、印刷装置６に書類データの送信を行い、そのデータを印刷装置６が印刷を行うことにより、携帯端末１から少ない手順で所望の書類を印刷出力する事が出来る。
【００５５】
請求項１記載の発明において、サービスセンタ４にて、携帯端末１から送信されてきたデータと書類フォーマットをあわせ、データの合成を行った際にサービスセンタ４から印刷装置に送信していたが、請求項２記載の発明は、サービスセンタ４にて作成したデータを電子メールへ添付し送信するものである。
【００５６】
図６に書類作成画面を示す。
【００５７】
携帯端末１上にて、サービスセンタ４にデータを送信する際に、サービスセンタ４が電子メールにて送信できるように、電子メールアドレスを付加して送る事が出来る。
【図面の簡単な説明】
【００５８】
【図１】本実施形態に係わる、データ合成システムの全体の構成を示した図
【図２】本実施形態の、データ合成の流れを、時系列的に示した図
【図３】本実施形態のサービスセンタの、構成を示した図
【図４（ａ）】携帯端末上での書類作成モードの概要を示した図
【図４（ｂ）】書類作成モード選択を示した図
【図４（ｃ）】書類フォーマット選択（携帯上）を示した図
【図４（ｄ）】書類フォーマット選択（サービスセンタ上）を示した図
【図４（ｅ）】書類フォーマット画面を示した図
【図４（ｆ）】書類作成画面を示した図
【図４（ｇ）】書類合成画面を示した図
【図５（ａ）】文書フォーマットのレイアウト図
【図５（ｂ）】文書フォーマットのレイアウト図
【図６】書類作成画面
【符号の説明】
【００５９】
１  携帯端末
２  携帯基地局
３  携帯端末センタ
４  サービスセンタ
５  ネットワーク
６  印刷装置
７  ＰＣ
１１  通信ユニット
１２  ＣＰＵ
１３  ＲＡＭ
１４  ＲＯＭ
１５  記憶媒体
１６  データベース
１７  情報処理装置
１８  バス
２１  全体枠
２２  文章枠
２３  画像枠
２４  設定枠
２５  送信ボタン
２６  作画窓
２７  Ｅ−ｍａｉｌ  Ａｄｄｒｅｓｓ
２８  Ａｄｄｒｅｓｓ  参照ボタン
【図１】
2005196547.tif 000003
【図２】
2005196547.tif 000004
【図３】
2005196547.tif 000005
【図４（ａ）】
2005196547.tif 000006
【図４（ｂ）】
2005196547.tif 000007
【図４（ｃ）】
2005196547.tif 000008
【図４（ｄ）】
2005196547.tif 000009
【図４（ｅ）】
2005196547.tif 000010
【図４（ｆ）】
2005196547.tif 000011
【図４（ｇ）】
2005196547.tif 000012
【図５（ａ）】
2005196547.tif 000013
【図５（ｂ）】
2005196547.tif 000014
【図６】
2005196547.tif 000015